(57)【特許請求の範囲】
【請求項１】
少なくとも３枚の用紙の積層構造からなり、最下層の用紙が離型紙であり、この離型紙よりも上層にある各用紙の同位置に設定されたカット位置が用紙ごとに別々にカットされ、そのカットされた用紙どうしが擬似接着剤を介して擬似接着されるとともに、カットされていない離型紙とその真上のカットされた用紙とが粘着剤を介して剥離可能に接着されてなる複合帳票において、各用紙のカット位置の周囲には、用紙どうしの擬似接着を防止する擬似接着防止手段が施されており、この擬似接着防止手段は、各用紙間のカット位置ずれ量を予想して、その予想カット位置ずれ量よりも幅広く設定されていることを特徴とする複合帳票。
【請求項２】
擬似接着防止手段が、擬似接着剤の塗布層表面を被覆するインキまたは樹脂の塗布層からなることを特徴とする請求項１に記載の複合帳票。
【請求項３】
擬似接着防止手段が、擬似接着剤を塗布しない空隙層からなることを特徴とする請求項１に記載の複合帳票。
【発明の詳細な説明】
【０００１】
【発明の属する技術分野】
本発明は、荷物に貼ることのできる配送伝票等として用いられる複合帳票に関し、特に、切り過ぎや切れ不足のない良好なハーフカットを形成できるようにしたものである。
【０００２】
【従来の技術】
図５は従来の配送伝票とその製造方法を示したものである。同図の配送伝票１は３枚の用紙Ｐ１、Ｐ２、Ｐ３を積層してなる複合帳票であり、その最下層の用紙Ｐ３（以下「最下紙」という。）には離型紙が用いられ、この離型紙としての最下紙Ｐ３上に２枚の用紙Ｐ１、Ｐ２が積層されている。そして、最下紙Ｐ３上の２枚の用紙Ｐ１、Ｐ２は、天然または合成ゴム系の感圧糊等からなる擬似接着剤２により擬似接着されており、また最下紙Ｐ３とその直上の用紙Ｐ２とは粘着剤３により接着されている。
【０００３】
また、この図５の配送伝票１にはハーフカット４が施されており、ハーフカット４は最下紙Ｐ３を残しその上層の用紙Ｐ１、Ｐ２のみに用紙厚さ方向のスリット４ａを切り込むものであり、当該カットによるスリット４ａの切り込みは最下紙Ｐ３までは達していない。このようなハーフカット４を配送伝票１に施す際は、スリッタ刃１０を用いるとともに、該スリッタ刃１０が最下紙Ｐ３まで食い込まないように、その刃１０を入れる圧力、つまり用紙へのスリッタ刃１０の圧接力を調整した上で、上層の用紙Ｐ１、Ｐ２を２枚重ねて同時にスリッタ刃１０でカットするものとしている。
【０００４】
しかしながら、上記のような従来の配送伝票１によると、ハーフカット４にあたり、上層の用紙Ｐ１、Ｐ２のみにスリット４ａを切り込むが、この際、スリッタ刃１０が最下紙Ｐ３まで食い込まないようにスリッタ刃１０の圧接力を調整しなければならず、その調整作業が難しいことや、２枚の用紙Ｐ１、Ｐ２を同時に重ねて切り込むため、このとき、紙厚のばらつきが用紙２枚分となり、大きなばらつきとなることから、用紙へのスリッタ刃１０の入り方に過不足が生じ、切り過ぎや切れ不足のない良好なハーフカット４を上手に形成することが難しい等の問題点を有している。
【０００５】
【発明が解決しようとする課題】
本発明は上記問題点を解決するためになされたもので、その目的とするところは、切り過ぎや切れ不足のない高品質のハーフカットを形成できる複合帳票を提供することにある。
【０００６】
【課題を解決するための手段】
上記目的を達成するために、本発明は、少なくとも３枚の用紙の積層構造からなり、最下層の用紙が離型紙であり、この離型紙よりも上層にある各用紙の同位置に設定されたカット位置が用紙ごとに別々にカットされ、そのカットされた用紙どうしが擬似接着剤を介して擬似接着されるとともに、カットされていない離型紙とその真上のカットされた用紙とが粘着剤を介して剥離可能に接着されてなる複合帳票において、各用紙のカット位置の周囲には、用紙どうしの擬似接着を防止する擬似接着防止手段が施されており、この擬似接着防止手段は、各用紙間のカット位置ずれ量を予想して、その予想カット位置ずれ量よりも幅広く設定されていることを特徴とするものである。
【００１０】
本発明は、上記擬似接着防止手段が、擬似接着剤の塗布層表面を被覆するインキまたは樹脂の塗布層からなることを特徴とするものである。
【００１１】
本発明は、上記擬似接着防止手段が、擬似接着剤のない空隙層からなること特徴とするものである。
【００１２】
本発明では、たとえば３枚の用紙の積層構造からなる場合、１層目の用紙のカット形態を完全カットとし、２層目の用紙のカット形態をハーフカットとすることができる。この場合のハーフカットは２層目の用紙１枚をカットするだけであるので、ハーフカットにあたり用紙２枚をカットしていた従来例に比し、ハーフカット時の紙厚のばらつきが１／２となる。よって、紙厚のばらつきによる切り過ぎや切れ不足の少ない高品質のハーフカットが得られる。
【００１３】
【発明の実施の形態】
以下、本発明に係る複合帳票を配送伝票に適用した実施形態について図１ないし図４を基に詳細に説明する。
【００１４】
図１（ｂ）に示した配送伝票１は、３枚の用紙Ｐ１、Ｐ２、Ｐ３の積層構造からなるとともに、その３層目（最下層）の用紙Ｐ３より上方に位置する用紙、すなわち１層目の用紙Ｐ１と２層目の用紙Ｐ２を各用紙ごとに別々にカットした後、その各用紙Ｐ１、Ｐ２どうしを擬似接着剤２により擬似接着したものである。なお、３層目の用紙Ｐ３は離型紙からなるとともに、その真上の２層目の用紙Ｐ２と粘着剤３を介して剥離可能に接着されている。
【００１５】
１層目の用紙Ｐ１のカットＣ１は、用紙Ｐ１がその用紙厚さ方向に完全にカットされる、いわゆる完全カットを行ったものである。また、２層目の用紙Ｐ２のカットＣ２は、２層目と３層目の用紙Ｐ２、Ｐ３を剥離せず、３層目の用紙Ｐ３を残して２層目の用紙Ｐ２のみに用紙厚さ方向のスリットを切り込む、いわゆるハーフカットを行ったものである。
【００１６】
上記のような構成からなる配送伝票１は、図１（ａ）に示した複合帳票製造装置５０により製作することができる。同図の装置５０はカットステージ５１を有し、カットステージ５１には上下２つのスリッタ刃５１ａ、５１ｂが設けられており、上側のスリッタ刃５１ａ（以下「上部スリッタ刃」という。）には第１紙３０が、また下側のスリッタ刃５１ｂ（以下「下部スリッタ刃」という。）には第２紙３１がそれぞれ別々に搬送供給される。
【００１７】
第１紙３０は、配送伝票１の１層目を構成するための１枚の用紙Ｐ１からなるが、第２紙３１は、配送伝票１の２層目と３層目を構成するための２枚の用紙Ｐ２、Ｐ３を積層してなるとともに、その下層の用紙Ｐ３として離型紙を用い、この離型紙の上に粘着剤３で別の用紙Ｐ２を接着したものである。また、第１紙３０と第２紙３１の対向面、すなわち用紙Ｐ１の裏面と用紙Ｐ２の表面には擬似接着剤２がそれぞれ塗布されている。
【００１８】
上部スリッタ刃５１ａは第１紙３０をカットし、下部スリッタ刃５１ｂは第２紙３１をカットする手段であるが、これらのカットＣ１、Ｃ２位置は、第１紙３０と第２紙３１の同位置となるように設定している。
【００１９】
また、上部スリッタ刃５１ａによる第１紙３０のカットＣ１形態は、用紙Ｐ１が用紙厚さ方向に完全にカットされる完全カットとする一方、下部スリッタ刃５１ｂによる第２紙３１のカットＣ２形態は、第２紙３１のうち下層の用紙Ｐ３を残して上層の用紙Ｐ２のみが用紙厚さ方向にカットされる、いわゆるハーフカットとしている。
【００２０】
上記カット後の第１紙３０と第２紙３１は、次の圧着ステージ５２へ搬送供給される。圧着ステージ５２では、第１紙３０と第２紙３１を一対の圧着ローラ５２ａ、５２ｂ間へ導き、その両圧着ローラ５２ａ、５２ｂにより第１紙３０と第２紙３１を圧着接合する。このとき、両紙３０、３１の圧着接合形態は擬似接着剤２による擬似接着であり、このように両紙３０、３１が擬似接着されると、３枚の用紙Ｐ１、Ｐ２、Ｐ３の積層構造からなる配送伝票１が得られる。
【００２１】
以上のように、本実施形態の配送伝票１にあっては、３層目の用紙Ｐ３より上方に位置する１層目と２層目の用紙Ｐ１、Ｐ２の同位置を、各用紙Ｐ１、Ｐ２ごとに別々にカットするとともに、１層目の用紙Ｐ１のカット形態を完全カットとする一方、２層目の用紙Ｐ２のカット形態をハーフカットとしたものである。このため、ハーフカットは２層目の用紙Ｐ２を１枚カットするだけで済むので、ハーフカットにあたり用紙を２枚カットしていた従来例に比し、ハーフカット時の紙厚のばらつきが１／２となる。よって、紙厚のばらつきによる切り過ぎや切れ不足の少ない高品質のハーフカットを形成することができ、ハーフカットの品質が向上し品質の安定化も図れる。
【００２２】
図２は本発明の他の実施形態を示したものであり、同図の配送伝票１が図１の配送伝票１と異なるところは、カットＣ１、Ｃ２位置周囲に、擬似接着防止手段４０として、インキまたは樹脂等の塗布層４０ａを設けた点にある。この塗布層４０ａは、１層目と２層目の用紙Ｐ１、Ｐ２の擬似接着面、すなわち１層目の用紙Ｐ１裏面と２層目の用紙Ｐ２表面のうちいずれか片面または両面に、インキまたは樹脂等を塗布することにより構成することができる。
【００２３】
図２の配送伝票１にあっても、図１の配送伝票１と同じく、１層目と２層目の用紙Ｐ１、Ｐ２を別々にカットするので、各用紙Ｐ１、Ｐ２間でカットＣ１、Ｃ２位置がずれる場合もあり得る。この場合、図１の配送伝票１においては、両カットＣ１、Ｃ２間Ｌ１も擬似接着剤２により擬似接着されてしまうが、図２の配送伝票１によると、インキまたは樹脂等の塗布層４０ａにより両カットＣ１、Ｃ２間Ｌ１の擬似接着が防止されるので、カットＣ１、Ｃ２辺から用紙Ｐ１、Ｐ２を容易に剥離することが可能となる。
【００２４】
また、擬似接着防止手段４０については、樹脂等の塗布層４０ａに代えて、たとえば図３に示すように、カットＣ１、Ｃ２位置周囲を擬似接着剤２の非塗布領域とすることにより、カットＣ１、Ｃ２位置周囲に擬似接着剤２のない空隙層４０ｂを形成してもよい。
【００２５】
要するに、上記のような塗布層４０ａまたは空隙層４０ｂからなる擬似接着防止手段４０は、各用紙Ｐ１、Ｐ２間でカットＣ１、Ｃ２位置にずれが生じた場合でも、そのカットＣ１、Ｃ２辺から用紙Ｐ１、Ｐ２を容易に剥離することができるようにしたものである。このような塗布層４０ａや空隙層４０ｂの機能からすると、その塗布層４０ａの塗布幅Ｌ２や空隙層４０ｂのように擬似接着剤２が塗布されない領域の幅Ｌ２は、各用紙Ｐ１、Ｐ２のカットＣ１、Ｃ２位置ずれ量（符号Ｌ１参照）を予め予想し、少なくともこの予想カット位置ずれ量と同じか、それよりも幅広く設けておくことが好ましい。本実施形態ではその幅Ｌ２を３ｍｍとしている。
【００２６】
なお、上記実施形態では、２層目と３層目の用紙Ｐ２、Ｐ３を剥離せず、そのまま２層目の用紙Ｐ２のカットＣ２を行うこととしたが、この２層目の用紙Ｐ２のカットＣ２については、図４に示す如く、３層目の用紙（剥離紙）Ｐ３を２層目の用紙Ｐ２から一旦剥離した状態で行うこともできる。この場合は、２層目の用紙Ｐ２のカットＣ２形態を完全カットとし、その完全カット後に２層目の用紙Ｐ２と３層目の用紙Ｐ３を粘着剤で再接着する。このように両用紙Ｐ３、Ｐ３を再接着すると、２層目の用紙Ｐ２のカットＣ２は、３層目の用紙Ｐ３にカットＣ２の切り込みが一切入らないこととの関係から、見かけ上、完璧なハーフカットとなる。
【００２７】
上記実施形態は本発明の複合帳票を配送伝票に適用した例であるが、本発明の複合帳票は配送伝票以外の他の用途にも適用できる。また、上記実施形態においては３枚の用紙の積層構造からなるものについて説明したが、本発明はそれ以上の枚数の用紙を積層してなる積層構造にも適用できる。
【００２８】
【発明の効果】
本発明に係る複合帳票にあっては、上記の如く、最下層の用紙より上方に位置する各用紙の同位置を、各用紙ごとに別々にカットすることとしたものである。このため、たとえば、３枚の用紙の積層構造からなる場合、１層目の用紙のカット形態を完全カットとし、２層目の用紙のカット形態をハーフカットとすることができ、この場合のハーフカットは２層目の用紙１枚をカットするだけであるので、ハーフカットにあたり用紙２枚をカットしていた従来例に比し、ハーフカット時の紙厚のばらつきが１／２となるから、高品質のハーフカットを形成することができ、ハーフカットの品質向上と品質の安定化を図れる。
【図面の簡単な説明】
【図１】図１は本発明に係る複合帳票を配送伝票に適用した実施形態の説明図であり、同図（ａ）は複合帳票製造装置の説明図、同図（ｂ）はその装置によって得られる配送伝票の断面図である。
【図２】本発明の他の実施形態を示した配送伝票の断面図。
【図３】本発明の他の実施形態を示した配送伝票の断面図。
【図４】本発明に係る複合帳票を製造する装置の他の実施形態の説明図。
【図５】従来の配送伝票とその製造方法の説明図。
【符号の説明】
１  配送伝票（複合帳票）
２  擬似接着剤
３  粘着剤
４  ハーフカット
４ａ  スリット
１０  スリッタ刃
３０  第１紙
３１  第２紙
４０  擬似接着防止手段
４０ａ  塗布層
４０ｂ  空隙層
５０  複合帳票製造装置
５１  カットステージ
５１ａ、５１ｂ  下部スリッタ刃
５２  圧着ステージ
５２ａ、５２ｂ  圧着ローラ
Ｃ１、Ｃ２  カット
Ｐ１、Ｐ２、Ｐ３  用紙
【図１】
0003900776.tif 000002
【図２】
0003900776.tif 000003
【図３】
0003900776.tif 000004
【図４】
0003900776.tif 000005
【図５】
0003900776.tif 000006